(57)【特許請求の範囲】
【請求項１】
義歯（２５）を作る際に使用するための歯科用インプラント要素セットであって、支持端部（１７）およびソケット（２１）を有する顎模型に設けた支持要素（１９）と、義歯または義歯のコア部分を作るスリーブ・シリンダ（１５）とを包含し、このスリーブ・シリンダが、支持要素の支持端部と係合するようになっている遠位端、近位端および遠位端の遠位側開口から近位端の近位側開口まで延びているチャンネルとを有し、さらに、アクセス通路形成用ポスト（１）を包含し、このアクセス通路形成用ポストが、その遠位端（１１）を与える遠位部分（９）と、その近位端（３）を与える近位部分（７）とを有し、ポストが、スリーブ・シリンダの遠位端が支持要素の支持端部と係合したときに作動位置に配置されるようになっており、ポストの遠位部分（９）が、スリーブ・シリンダにおけるチャンネルの近位側開口を貫いて支持要素におけるソケットに着脱自在に固着され、ポストの近位部分（７）が、スリーブ・シリンダにおけるチャンネルの近位側開口から突き出る歯科用インプラント要素セットにおいて、アクセス通路形成用ポストの遠位部分が、締りばめによって支持要素のソケット内に着脱自在に固着できるようになっていることを特徴とする歯科用インプラント要素セット。
【請求項２】
請求項１に記載の歯科用インプラント要素セットにおいて、アクセス通路形成用ポストが片寄せ力を発生するようになっており、この片寄せ力が、アクセス通路形成用ポストの遠位部分を支持要素におけるソケットの内面に対して片寄せるように作用することを特徴とする歯科用インプラント要素セット。
【請求項３】
請求項１または２に記載の歯科用インプラント要素セットにおいて、ポストの遠位部分が、片寄せ力に抗して内方へ圧縮可能であり、支持要素におけるソケットとポストの遠位部分が、遠位部分をソケットの内面に対して外方へ片寄せる片寄せ力によってソケット内に着脱自在に固着することができるようになっていることを特徴とする歯科用インプラント要素セット。
【請求項４】
請求項３に記載の歯科用インプラント要素セットにおいて、アクセス通路形成用ポストの遠位部分にスロット（１３）が設けてあり、複数の弾力的なフィンガ（１６、１８）を提供していることを特徴とする歯科用インプラント要素セット。
【請求項５】
請求項３または４に記載の歯科用インプラント要素セットにおいて、支持要素のソケットが、アクセス通路形成用ポストの遠位部分を内方へ圧縮するような形状となっている入口（２３）を有することを特徴とする歯科用インプラント要素セット。
【請求項６】
請求項１〜５のいずれか一項に記載の歯科用インプラント要素セット
において、ソケットにねじ切りしていないことを特徴とする歯科用インプラント要素セット。
【請求項７】
請求項１〜６のいずれか一項に記載の歯科用インプラント要素セットにおいて、アクセス通路形成用ポストの近位部分がスリーブ・シリンダのチャンネルと密封嵌合するようになっていることを特徴とする歯科用インプラント要素セット。
【発明の詳細な説明】
【０００１】
【発明の分野】
本発明は、歯科用インプラント要素、特に、義歯または義歯のコア部にアクセス通路を形成するのに使用するためのアクセス通路形成用ポストに関する。
【０００２】
【発明の背景】
義歯は、１つまたはそれ以上の失われた自然歯と置き換えるために患者の顎骨（上顎または下顎）に固定する構造である歯科用インプラントを構成する構成要素の１つである。歯科用インプラントは、義歯を支持するように、まったくあるいは部分的に歯のない患者の顎骨に固定される義歯支持構造を包含する。この義歯支持構造は、代表的には、（ｉ）上顎または下顎の骨組織に移植した１つまたはそれ以上の固定部材（固定具）によって形成される。この固定具の数は、歯科用インプラントが、単一の固定具を使用する単歯置換のためか、あるいは、１つまたは、通常それ以上の複数の固定具を使用する複数の失われた歯と置換するためかに依存する。そして、（ii）各固定具のための経粘膜部材（橋脚歯）によっても形成される。各橋脚歯は、対応する固定具の冠状端部に連結され固定具部位に重なっている軟組織層（歯肉）を架橋する。次に、１つまたはそれ以上の人工置換歯（義歯）を与える構造を橋脚歯の冠状端部に連結する。たとえば、単歯置換の場合にはクラウンであり、多数の失われた自然歯との置換の場合にはブリッジである。
【０００３】
義歯が口腔内の優勢状態、たとえば、自然歯がまだ上顎あるいは下顎に残っている状態に確実に適合するためには、それ自体公知の方法で作成した歯のない顎の実物大模型を参照しながら義歯を作成する。通常、１つまたはそれ以上の類似要素が模型内に組み込まれる。類似要素の数は上顎または下顎における固定具の数に対応する。各類似要素は、義歯支持構造、たとえば、橋脚歯によって与えられる冠状端部の類似物である端を有する。各類似要素は、類似端部が義歯支持構造の関連した冠状端部が顎内に有するかあるいは有することになる位置および向きを正確に再現するように模型に組み込まれる。
【０００４】
次いで、各類似要素に対して歯科用インプラント要素が設けられる。この歯科用インプラント要素は、それが必ずしも一定直径の円形横断面を持っていなくても、普通、この技術分野において「シリンダ」と呼ばれている。このシリンダは、義歯支持構造の冠状端部を補足し、したがって、関連した類似要素の類似端部に着座することができる遠位端部あるいは先端部を有する。シリンダは、類似要素上に着座し、口腔内の優勢状況に適合する義歯の製作で使用される。その際、義歯は、顎骨に固定するために義歯支持構造へ移される。
【０００５】
シリンダが義歯の作成で用いられる方法は、義歯が単歯置換用であるか、あるいは、多歯置換用であるかに依存し、また、義歯が恒久義歯となるか、あるいは、恒久義歯を作成する間の臨時期間で使用するための仮義歯となるかに依存する。
【０００６】
恒久義歯は、代表的には、シリンダにワックス・パターンを取り付け、ロストワックス・キャスティング法によってワックス・パターンと同じ輪郭を有するキャスト構造をシリング上に形成することによって形成される。ロストワックス・キャスティング法においては、シリンダ・ワックス・パターン組立体は、埋没材で取り囲まれ、次に、ワックス・パターンが、加熱によって除かれ、埋没材を貫通するスプルーを経て注入することになっている貴金属あるいは半貴金属、たとえば、金のための鋳型を残す。この点に関しては、シリンダは、焼却材料、たとえば、ポリスチレンのようなプラスチックで全体的あるいは部分的に形成することができる。この場合、焼却材料は、選択的に、貴金属あるいは半貴金属と置き換えられる。しかしながら、埋没材を使用すれば、シリンダの先端部に設けられた表面造作、たとえば、多角体の面（シリンダを義歯支持構造の冠状端部と割り出すことを可能にする）を、焼却材料によって与えられたキャスト構造に確実に保持することができる。
【０００７】
恒久単歯義歯の場合、代表的には、ポーセレン層が内側キャスト・フレーム構造上に焼成される。このフレーム構造が、単一のシリンダを包含するか、あるいは、単一のシリンダ上に基礎を形成された義歯に自然歯の外観を与える。ワックス・パターンは、ポーセレン層が焼成される歯状の内側キャスト・フレーム構造を与えるように形付けしてもよいし、しなくてもよい。ワックス・パターンが歯状の形態に形付けされない場合には、義歯に歯状の形態を与えるようにポーセレン層を構築する。
【０００８】
多数の自然歯を恒久的に取り替えようとしている場合には、義歯は、代表的には、多数のシリンダを包含するか、あるいは、多数のシリンダ上に基礎を形成した内側キャスト・フレーム構造と、この内側キャスト・フレーム構造に装着した人工歯（義歯）の列とを包含することになる。この例においては、ワックス・パターンは、代表的には、模型の類似物上にシリンダを固定し、義歯支持構造の隔たった冠状端部を横切って架橋できるキャスト・フレーム構造を形成する。そして、キャスティングが義歯支持構造上に装着される前か後に、義歯がキャスティング上に装着されることになる。あるいは、義歯は、各シリンダに孤立したワックス・パターンを塗布して個々のキャスティングを形成し、次いで、それを義歯支持構造の冠状端部に取り付け、次に、このキャスティング上へ義歯を装着することによって形成してもよい。
【０００９】
恒久義歯形成の概要については、特に、「Dental Implants: A Guide for the General Practitioner」（Michael Norton, Quintessence Publishing, 1995, Chapters 4 and 5）を参照されたい。
【００１０】
仮義歯の使用は、周知であり、仮義歯を必要とする環境は、米国特許第５,２５９,７５９号(Jorneus et al／Nobelpharma AB)に記載されている。単歯仮義歯の場合、通常の手順では、模型における類似物の類似端部に装着したときにシリンダの外面にアクリル樹脂を塗布し、このアクリル樹脂を自然歯形態に整形してから硬化させることによって、シリンダ上にアクリル樹脂人工歯を形成する。
【００１１】
この技術分野の慣例では、シリンダはスリーブの形をしている。すなわち、類似物の類似端部と係合する遠位端部または先端部を有し、したがって、義歯支持構造の関連した冠状端部、すなわち、先端部から隔たった近位端部または冠状端部を有し、端部開口チャンネルが先端部の開口から冠状端部の開口まで延びている。このようなシリンダは、先の米国特許第５,２５９,７５９号、米国特許第５,５２７,１８３号（O'Brien／Collaborative Enterprises, Inc.）、米国特許第５,５３３,８９８号（Mena）、米国特許第５,４３９,３８０号（Marlin）、米国特許第５,１８０,３０３号（Hornberg et al／Regents of the University of California）および米国特許第５,２３４,３３９号（Grigereit/Kulzer, Inc.）に開示されている。これらの米国特許のいくつかでは、シリンダは固定具に直接固定される。すなわち、義歯支持構造に橋脚歯を必要としなくなる。
【００１２】
複数の失われた歯との置換用の義歯、たとえば、ブリッジの形成でスリーブ・シリンダを使用することによって、端部開口式チャンネルが貫通している内側キャスト・フレーム構造を形成できる。二重構造ブリッジ（先の「Dental Implants。 A Guide for the General Practitioner」のChapter 5参照）の場合、これらのチャンネルは、ねじを通し、内側キャスト・フレーム構造を義歯支持構造に固着するためのアクセス通路として作用する。次に、義歯を、義歯支持構造にねじ止めした内側キャスト・フレーム構造にセメント接合する。通常のブリッジでは、アクセス通路は、義歯を内側キャスト・フレーム構造にセメント接合したときに義歯に形成されるアクセス通路と連通することができる。次いで、セメント接合組立体を、連絡しているアクセス通路を経て義歯支持構造にねじ止めすることができる。
【００１３】
単歯義歯、たとえば、クラウンの場合、スリーブ・シリンダを使用することで、橋脚歯のような義歯支持構造の冠状部材に義歯を顎外でセメント接合することができ、次いで、このセメント接合組立体を、以下により詳しく説明するように、上顎または下顎に既に固定してある義歯支持構造の先端構造に加えることができる。
【００１４】
恒久義歯の場合、アクセス通路の形成は、模型にある対応した類似物上に装着した各スリーブ・シリンダにポストを作動位置まで挿入することで行われる。この作動位置において、（ｉ）ポストは、類似物に着脱自在に固着され、ポストの後端が、スリーブ・シリンダの冠状端部にある開口から、ワックス・パターンを構築しようとしている高さより高い高さまで突出し、そして、（ii）ポストは、スリーブ・シリンダの冠状端部にある開口と締りばめを形成する。次いで、ワックス・パターンをポストのまわりに構築し、ワックス・パターンが完成後にポストを取り出し、スリーブ・シリンダのチャンネルと連通する通路をワックス・パターンに残す。こうしてワックス・パターンに形成した通路を、次に、キャスティングに再現する。
【００１５】
スリーブ・シリンダの冠状端部にある開口とポストの締りばめは、キャスティング前にスリーブ・シリンダ内へワックスが漏れるのを防ぐように作用する。そうしなければ、義歯またはそのコア部分を義歯支持構造に適切に固着することが難しくなるかも知れない。
【００１６】
仮義歯を形成するためにスリーブ・シリンダを使用するときにも、ポストは同様のやり方で使用される。たとえば、単歯仮義歯を形成するには、スリーブ・シリンダの先端部を、部分的に歯のない患者の模型にある類似構造の類似端部に係合させ、ポストをスリーブ・シリンダ内に作動位置まで挿入する。この作動位置において、（ｉ）ポストは、類似構造に着脱自在に固着され、ポストの後端が、アクリル歯を構築しようとしている高さよりも高い高さまでスリーブ・シリンダの冠状端部にある開口から突出し、そして、（ii）ポストは、スリーブ・シリンダの冠状端部にある開口と締りばめを形成する。次いで、アクリル樹脂をポストまわりのスリーブ・シリンダの外面に塗布し、特に模型における周囲の歯列と適合する自然歯の形に形付けしてから硬化させる。
【００１７】
スリーブ・シリンダの冠状端部にある開口とポストの締りばめは、この例では、硬化前に、スリーブ・シリンダ内へアクリル樹脂が漏れるのを防ぐように作用する。こうしないと、義歯を義歯支持構造に適切に固着することが難しくなるかも知れない。ポストは、さらに、スリーブ・シリンダにあるチャンネルと連通するチャンネルを硬化後のアクリル歯に形成するように作用する。換言すれば、単歯仮義歯を貫く端部開口式チャンネルを形成するように作用する。このチャネルに、たとえば、ねじを通し、義歯支持構造に義歯をねじ止めすることができる。
【００１８】
スリーブ・シリンダを使用することによって、先に簡単に述べたように、義歯支持構造の冠状部材に単歯義歯を顎外連結することができるという事実を説明するために、定義したタイプの単歯仮義歯を、冠状部材を有する義歯支持構造に固着するケースを考察する。この冠状部材とは、以下のものを含む普通の橋脚歯である。すなわち、（ｉ）内ねじソケットがある固定具の冠状端部に着座する端部開口式軸線方向チャンネルを有する橋脚歯スリーブと、（ii）橋脚歯スリーブのチャンネルを通して挿入して固定具の冠状端部にある内ねじソケットに螺合させ、橋脚歯スリーブを、そのチャンネルにある肩部に押し付ける橋脚歯ねじヘッドを介して固定具に固着する橋脚歯ねじとを包含する橋脚歯である。単歯仮義歯のスリーブ・シリンダ基礎構造は、この２分割式橋脚歯のスリーブにセメント接合されることになる。これに関連して、ポストによって単歯仮義歯に形成された端部開口式チャンネルにより、橋脚歯スリーブに顎外的にスリーブ・シリンダをセメント接合することが可能になり、次に、こうして形成された組立体を固定具の冠状端部上に置き、次いで、橋脚歯ねじを義歯・橋脚歯スリーブ組立体に挿入し、固定具にある内ねじソケットに螺合させることができる。次に、義歯にあるチャンネルに美容整形材料を充填することになる。
【００１９】
顎外連結の上記説明において、橋脚歯スリーブを模型内において、その類似物の代わりに、たとえば固定具の類似物上に着脱自在に固着することができるとも考えられる。それによって、義歯製造中、スリーブ・シリンダは、橋脚歯スリーブ上に置かれる。この場合、ポストは固定具類似物にある内ねじソケット内に固着することができる。すなわち、その場合、橋脚歯ねじは、それ自体にある固定具類似物に橋脚歯スリーブをねじ止めするのに使用される。より一般的には、義歯支持構造の冠状部材を模型に組み込み、顎骨に固定する前に義歯製作中にスリーブ・シリンダと組み合わせて使用することができる他の例も考えられる。
【００２０】
従来提案されたアクセス通路形成用ポストは、支持要素の内ねじソケットにねじ止めするためのねじ螺合遠位端をこのポストに設けることによって、模型内のスリーブ・シリンダのための支持要素に着脱自在に固着することができた。本発明の目的は、アクセス通路形成用ポストとスリーブ・シリンダ用の支持要素との間のより簡単な連結を提供することにある。
【００２１】
【発明の概要】
本発明によれば、義歯を作る際に使用するための歯科用インプラント要素セットであって、支持端部およびソケットを有する顎模型に設けた支持要素と、義歯または義歯のコア部分を作ることになっているスリーブ・シリンダとを包含し、このスリーブ・シリンダが、支持要素の支持端部と係合するようになっている遠位端、近位端および遠位端の遠位側開口から近位端の近位側開口まで延びているチャンネルとを有し、さらに、アクセス通路形成用ポストを包含し、このアクセス通路形成用ポストが、その遠位端を与える遠位部分と、その近位端を与える近位部分とを有し、ポストが、スリーブ・シリンダの遠位端が支持要素の支持端部と係合したときに作動位置に配置されるようになっており、ポストの遠位部分が、スリーブ・シリンダにおけるチャンネルの近位側開口を貫いて支持要素におけるソケットに着脱自在に固着され、ポストの近位部分が、スリーブ・シリンダにおけるチャンネルの近位側開口から突き出る歯科用インプラント要素セットにおいて、アクセス通路形成用ポストの遠位部分が、この遠位部分およびソケットの内面を片寄せる片寄せ力によって支持要素のソケット内に着脱自在に固着できることを特徴とする歯科用インプラント要素セットを得ることができる。
【００２２】
後述するような本発明の実施例においては、支持要素におけるソケットおよびポストの遠位部分は、遠位部分を締りばめによってソケット内に着脱自在に固着できるようになっている。
後述するような本発明の実施例においては、アクセス通路形成用ポストは、片寄せ力を発生するようになっており、この片寄せ力が、アクセス通路形成用ポストの遠位部分を支持要素におけるソケットの内面に対して片寄せるように作用する。
【００２３】
後述するような本発明の実施例においては、ポストの遠位部分は、片寄せ力に抗して内方へ圧縮可能であり、支持要素におけるソケットとポストの遠位部分が、遠位部分をソケットの内面に対して外方へ片寄せる片寄せ力によってソケット内に着脱自在に固着することができるようになっている。
後述するような本発明の実施例においては、アクセス通路形成用ポストの遠位部分にスロットが設けてあり、複数の弾力的なフィンガ（１６、１８）を提供する。
【００２４】
後述するような本発明の実施例においては、支持要素のソケットは、アクセス通路形成用ポストの遠位部分を内方に圧縮するような形状となっている入口（２３）を有する。たとえば、この入口は、座ぐりされている場合と同様に、遠位方向において内方にテーパが付けてあってもよい。
好ましくは、支持要素におけるソケットには、後述する実施例におけるように、ねじを切らない。
【００２５】
支持要素は、１つまたはそれ以上の要素から形成してあってもよい。たとえば、支持要素は、類似要素であってもよく、その支持端部は、固定具または橋脚歯の冠状端部の類似物であり、そこにスリーブ・シリンダの遠位端部が係合する。この場合、ソケットは、支持端部にあってもよい。あるいは、支持要素は、固定具の冠状端部の類似物であり、そこにソケットが設けられる端部を有する類似要素と、類似端部上に装着可能であり、スリーブ・シリンダの遠位端が係合するための支持端部を有する橋脚歯スリーブとを包含していてもよい。
以下、本発明の実施例を、添付図面を参照しながら説明する。
【００２６】
【発明の実施例の詳述】
以下、本発明の一実施例による歯科用インプラント要素セットを、単歯義歯を形成する際に使用することに関連して詳細に説明する。
図１において、ここには、鋼のような金属またはプラスチック材料から形成したセットのアクセス通路形成用ポスト１が示してある。ポスト１は、ほぼ円形の横断面を有し、ポスト１を扱うためのヘッド３と、ヘッド３から垂れ下がる円筒状の軸５とを包含する。軸５は、第１の一定直径の近位部分７と、第１の一定直径よりも小さい第２の一定直径の遠位部分９とに段形成してある。軸５は、遠位部分９によって与えられる遠位端１１を有し、ここに、軸方向に延びる半径方向スロット１３が設けてあり、遠位端１１を一対の隔たった別々の弾力的なフィンガ１６、１８に分割している。
フィンガ１６、１８は、互いに向かって内方へ圧縮可能である。圧縮状態にあるとき、フィンガ１６、１８が解放されると、フィンガ１６、１８を互いから離れるように外向きに図１に示すそれぞれの静止位置まで片寄せる戻り力が生じる。
【００２７】
図２を参照して、ここには、セットの類似構造１９の端１７上に着座したスリーブ・シリンダ１５が示してあり、この類似構造１９は、それ自体公知の方法で印象採取することによって作った、患者の顎の無歯部位の模型（図示せず）内に含まれる。スリーブ・シリンダ１５は、ほぼ円形の横断面であり、軸線方向に延びる端部開口式チャンネルを有する。類似構造１９の端部１７は、橋脚歯スリーブの冠状端部の類似物であり、ねじ切りしていないブラインド・ボア２１を備えている。
図２は、作動位置に位置するポスト１を示している。そこにおいて、軸５の遠位部分９が、スリーブ・シリンダ１５のチャンネルを通って類似構造１９の類似端部１７内へ突出し、軸５の近位部分７が、類似構造１９の類似端部１７と衝合している。
【００２８】
ポスト１の軸５の近位部分７の第１一定直径は、ポスト１の作動位置において、スリーブ・シリンダ１５のチャンネルを塞ぐように選択する。ポスト１の作動位置においてスリーブ・シリンダ１５のチャンネルを塞ぐだけでなく、軸５の近位部分７は、さらに、スリーブ・シリンダ１５から突出し、それによって、ポスト１のヘッド３をスリーブ・シリンダ１５から隔てるような寸法とする。
【００２９】
類似構造１９の類似端部１７におけるブラインド・ボア２１は、ポスト１の未圧縮遠位部分９の第２一定直径よりわずかに小さい直径を有し、座ぐり入口２３が設けてある。続いて、ポスト１の軸５の遠位部分９を、ポスト１を作動位置に向かって変位させている最中に類似構造１９の類似端部１７にあるブラインド・ボア２１に挿入したとき、ポスト１のフィンガ１６、１８が戻り力の片寄せ作用に抗して内方へ圧縮される。したがって、ポスト１が作動位置に達すると、ポスト１は、ブラインド・ボア２１の周壁に向かって外方へフィンガ１６、１８を片寄せる戻り力の結果として生じる、ブラインド・ボア２１内のフィンガ１６、１８の締りばめによって、類似構造１９の類似端部１７にあるブラインド・ボア２１内に着脱自在に固着される。
【００３０】
図３に示すように、ポスト１がその作動位置において類似構造１９に装着された後、アクリル樹脂で作られている義歯２４が、スリーブ・シリンダ１５のチャンネルから突き出るポスト１の軸５の近位部分７の部分まわりでスリーブ・シリンダ１５上に形成される。その結果、アクリル樹脂人工歯２４およびスリーブ・シリンダ１５からなる単歯義歯２５が形成されることになる。
【００３１】
図４からわかるように、弾力的なフィンガ１６、１８にかかる戻り力の片寄せ作用を克服させるに充分にポスト１に引張力を付与することによって類似構造１９の類似端部１７のブラインド・ボア２１からポスト１を取り出すことで、アクリル樹脂義歯２４にチャンネルを残し、このチャンネルがスリーブ・シリンダ１５のチャンネルと連通し、その結果、単歯義歯２５が軸線方向に延びる端部開口式チャンネル２７を備えることになる。
【００３２】
患者の顎の無歯部位で単歯義歯２５を固定するための手順を、以下、図４、５を参照しながら説明する。まず、単歯義歯２５を橋脚歯スリーブ２９に顎外的にセメント接合する。この橋脚歯スリーブ２９は、類似構造１９の類似端部１７と一致する冠状端部と、それを貫通する端部開口式軸線方向チャンネルとを有し、義歯・橋脚歯スリーブ組立体３１を形成している。こうして形成された義歯・橋脚歯スリーブ組立体３１は、橋脚歯スリーブ２９の貫通チャンネルと連通している単歯義歯２５の軸線方向に延びる端部開口式チャンネル２７の結果として、軸線方向に延びる端部開口式チャンネル（図示せず）を有する。
【００３３】
次に、義歯・橋脚歯スリーブ組立体３１を、無歯部位で患者の上顎または下顎に移植した固定具３３の冠状端部上に着座させ、橋脚歯ねじ３５によって固定具３３にねじ止めする。この橋脚歯ねじは、義歯・橋脚歯スリーブ組立体３１を貫く軸線方向に延びる端部開口式チャンネルを通って固定具３３の冠状端部にある内ねじソケット（図示せず）に螺合する。
最後に、義歯・橋脚歯スリーブ組立体３１のチャンネルを美容整形材料で満たす。
【００３４】
ポスト１の作動位置においてスリーブシリンダ１５にあるチャンネルを塞ぐ、ポスト１の軸５の近位部分７の第１一定直径の利点は明らかであろう。軸５の近位部分７は、スリーブ・シリンダ１５に密封嵌合して、アクリル樹脂人工歯の作成中、アクリル樹脂がスリーブ・シリンダ１５内に漏れるのを防ぐ。アクリル樹脂がスリーブ・シリンダ１５内に漏れた場合には、スリーブ・シリンダ１５が義歯・橋脚歯スリーブ組立体３１の形成時に橋脚歯スリーブ２９上に適切に着座するのが難しくなるであろうし、また、橋脚歯ねじ３５が義歯・橋脚歯スリーブ組立体３１の軸線方向に延びる端部開口式チャンネルを貫通して固定具３３の内ねじソケットと螺合することも難しくなるであろう。
【００３５】
明らかなように、図１〜５を参照しながらここに説明した歯科用インプラント要素セットは、アクセス通路形成用ポスト１を橋脚歯類似物１９に着脱自在に固着することができる単純な機構を提供する。
【００３６】
ここで、本発明を実施例によって説明したが、添付の特許請求の範囲によって定義される範囲内でさまざまな方法で変更できることはいうまでもない。たとえば、本発明を、アクリル樹脂人工歯を持つ単歯義歯の製作に関して例示したが、本発明は他の用途、たとえば、単歯または多歯義歯の内側キャスト・フレーム構造の製作にも使用し得る。さらに、実施例の個々の特徴は、単独でもこの実施例の他の特徴との組み合わせでも、本発明の他の実施例で使用し得る。
【００３７】
最後に、特許請求の範囲に添付図面からの参照符号を用いているが、これは説明のために過ぎず、特許請求の範囲を限定する意図はないと解釈されたい。
【図面の簡単な説明】
【図１】  本発明による歯科用インプラント要素セットのアクセス通路形成用ポストの斜視側面図である。
【図２】  セットのスリーブ・シリンダに挿入してセットの橋脚歯類似物と着脱自在に固着するアクセス通路形成用ポストの部分断面図である。
【図３】  図２に対応する部分側断面図であり、アクリル樹脂人工歯をポストまわりでスリーブ・シリンダ上に製作し、アクセス通路が貫通している単歯義歯を形成することを示す図である。
【図４】  橋脚歯スリーブに顎外的にセメント接合して義歯・橋脚歯スリーブ組立体を形成する単歯義歯の概略側面図である。
【図５】  義歯・橋脚歯スリーブ組立体の側面図であり、この義歯・橋脚歯スリーブ組立体が、そこにあるアクセス通路に通し、固定具の内ねじソケットに螺合させることができる橋脚歯ねじによって固定具に連結している状態を示す図である。
【図１】
0004088038.tif 000002
【図２】
0004088038.tif 000003
【図３】
0004088038.tif 000004
【図４】
0004088038.tif 000005
【図５】
0004088038.tif 000006